【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
ポリマー壁内にカプセル化されたコア組成物を含む予備形成カプセルと;
界面活性剤により予備形成カプセルのポリマー壁の外部表面に連結された無機シェルであって、(i)界面活性剤に引きつけられたカチオン及びそのカチオンに化学結合したアニオン、酸化グラフェン、アミン、若しくはカルボキシレート、又は(ii)界面活性剤に引きつけられた金属含有化合物を含む、無機シェルと
を含むカプセルであって、
界面活性剤はイオン性界面活性剤を含む、カプセル。
【請求項２】
コアが、相変化材料を含む、請求項1に記載のカプセル。
【請求項３】
カチオンが、カルシウムイオン、銀イオン、マグネシウムイオン、鉄イオン、銅イオン及びコバルトイオン、並びにそれらの組合せからなる群から選択される、請求項1に記載のカプセル。
【請求項４】
カチオンが、銀イオンであり、無機シェルが、抗菌及び抗真菌増殖特性を有する、請求項3に記載のカプセル。
【請求項５】
無機シェルが、シェルを有さないカプセルと比較して、全燃焼質量パーセントを少なくとも16質量%低減する難燃特性をカプセルに与える、請求項3に記載のカプセル。
【請求項６】
無機シェルが、全燃焼質量パーセントを少なくとも40%低減する、請求項5に記載のカプセル。
【請求項７】
全体的又は部分的な無機シェルが、カチオン及びアニオンを含み、アニオンが、CO3-2、HPO4-2、PO4-3、SO4-2、SO3-2、OH-1、HSO4-1、及びそれらの組合せからなる群から選択される、請求項2に記載のカプセル。
【請求項８】
無機シェルのアニオンが、HPO4-2、PO4-3、SO4-2、SO3-2、HSO4-1又はそれらの組合せを含む、請求項7に記載のカプセル。
【請求項９】
無機シェルが、ポリマー壁をカプセル化する不連続壁を構成する、請求項1に記載のカプセル。
【請求項１０】
無機シェルが、カチオン及び酸化グラフェンを含む、請求項1に記載のカプセル。
【請求項１１】
カチオンが、カルシウムイオンを含み、コアが、相変化材料を含む、請求項10に記載のカプセル。
【請求項１２】
無機シェルが、ポリマー壁をカプセル化する不連続壁を構成する、請求項10に記載のカプセル。
【請求項１３】
無機シェルが、界面活性剤に引きつけられた金属含有化合物を含み、金属含有化合物が、金属酸化物又は金属酸化物-水酸化物である、請求項1に記載のカプセル。
【請求項１４】
ポリマー壁が、メラミンホルムアルデヒド、ゼラチン、架橋メラミン、レゾルシノール尿素ホルムアルデヒド、又はアクリルポリマーを含む、請求項1に記載のカプセル。
【請求項１５】
ポリマー壁が、架橋メラミンを含み、コアが、相変化材料を含み、架橋メラミンは、架橋薬剤と重合したメラミンホルムアルデヒドを含み、架橋薬剤は、
(a)環状尿素(U)と多官能性アルデヒド(A)との反応生成物と、
(b)少なくとも1種の架橋剤であって、
(b1)アミノトリアジンと、脂肪族モノアルデヒド、及び構造Y(CHO)n(式中、Yは、n官能性脂肪族残基であり、nは、1より大きい)を有する多官能性脂肪族アルデヒドからなる群から選択される少なくとも1種のアルデヒドと、の反応生成物であって、Uは、架橋剤(b)が(b1)である場合、ジヒドロキシエチレン尿素ではない、反応生成物、
(b2)尿素及び/又は環状尿素とホルムアルデヒドとの反応生成物、
(b3)アルコキシカルボニルアミノトリアジン、
(b4)部分的又は完全にブロックされていてもよい多官能性イソシアネート、
(b5)フェノールと脂肪族モノアルデヒドとの反応生成物、
(b6)多官能性エポキシド、
(b7)多官能性アジリジン、
(b8)多官能性カルボジイミド
からなる群から選択される、少なくとも1種の架橋剤と
を含み、
ヒドロキシル基を有する架橋剤(a)及び(b)のいずれかは、1種又は複数種の直鎖状、分岐状又は環式脂肪族アルコールでエーテル化されていてもよい、請求項13に記載のカプセル。
【請求項１６】
カプセルを表面処理するための方法であって、
ポリマー壁内にカプセル化されたコア組成物を含む予備形成カプセルを準備する工程と;
イオン性界面活性剤を含む水性界面活性剤及び予備形成カプセルを一緒に混合する工程であって、イオン性界面活性剤が、ポリマー壁の外部表面に結合して、界面活性剤-カプセル中間体を形成する、混合する工程と;
まず水性カチオンを界面活性剤-カプセル中間体に添加して、カチオンが界面活性剤に結合した二次中間カプセルを形成させるか、あるいは、水に懸濁、可溶化若しくは溶解した金属含有化合物を界面活性剤-カプセル中間体に添加して、予備形成カプセルの外側シェルとして無機固体を形成させる工程と;
二次中間カプセルが形成される場合には、次に水性アニオン、酸化グラフェン、アミン、又はカルボキシレートを二次中間カプセルに添加してカチオンに化学結合させて、予備形成カプセルの外側シェルとして無機固体を形成させる工程と
を含む方法。
【請求項１７】
水性界面活性剤と混合する工程の前に、予備形成カプセルを形成させる工程を更に含む、請求項16に記載の方法。
【請求項１８】
シェルが、不連続外側シェルである、請求項16に記載の方法。
【請求項１９】
コアが、相変化材料を含む、請求項16に記載の方法。
【請求項２０】
カチオンが、カルシウムイオン、銀イオン、マグネシウムイオン、及びそれらの組合せからなる群から選択される、請求項19に記載の方法。
【請求項２１】
シェルが、カチオン及びアニオンを含み、アニオンが、CO3-2、HPO4-2、PO4-3、SO4-2、SO3-2、OH-1、HSO4-1、及びそれらの組合せからなる群から選択される、請求項19に記載の方法。
【請求項２２】
シェルが、カチオン及びアニオン等価物を含み、アニオン等価物は、酸化グラフェンである、請求項16に記載の方法。
【請求項２３】
金属含有化合物が、添加する工程中に添加され、金属含有化合物は、金属酸化物又は金属酸化物-水酸化物である、請求項16に記載の方法。
【請求項２４】
ポリマー壁が、メラミンホルムアルデヒド、ゼラチン、架橋メラミン、レゾルシノール尿素ホルムアルデヒド、又はアクリルポリマーを含む、請求項16に記載の方法。
【請求項２５】
組み込まれたカプセルを含む製造品であって、カプセルは、
ポリマー壁内にカプセル化されたコア組成物を含む予備形成カプセルと;
界面活性剤により予備形成カプセルのポリマー壁の外部表面に連結された無機シェルであって、(i)界面活性剤に引きつけられたカチオン及びそのカチオンに化学結合したアニオン、酸化グラフェン、アミン、若しくはカルボキシレート、又は(ii)界面活性剤に引きつけられた金属含有化合物を含む、無機シェルと
を含み、
界面活性剤はイオン性界面活性剤を含む、製造品。
【請求項２６】
無機シェルが、カチオン及び酸化グラフェンを含む、請求項25に記載の製造品。
【請求項２７】
その中に分散された複数のカプセルを含むコーティングが塗布された基材を備える電子デバイス用の冷却装置である、請求項26に記載の製造品。
【請求項２８】
基材が、コーティングとは反対の基材表面上に接着剤層を含み、無機シェルが、マイクロカプセル当たり少なくとも1gのグラフェンを含み、マイクロカプセルは、電子デバイスの平均性能を少なくとも10%増加させる、請求項27に記載の製造品。
【請求項２９】
コアが、相変化材料を含み、カチオンが、カルシウムイオン、銀イオン、マグネシウムイオン、鉄イオン、銅イオン、及びコバルトイオン、並びにそれらの組合せからなる群から選択され、カプセルが、シェルを有さないカプセルと比較して、全燃焼質量パーセントを少なくとも16質量%低減する難燃特性を有する、請求項25に記載の製造品。
【請求項３０】
無機シェルが、全燃焼質量パーセントを少なくとも40%低減する、請求項29に記載の製造品。
【請求項３１】
建築材料である、請求項29に記載の製造品。
【請求項３２】
太陽電池であり、コアが、相変化材料を含み、無機シェルが、カチオンを含み、アニオンが、HPO4-2、PO4-3、SO4-2、SO3-2、HSO4-1、及びそれらの組合せからなる群から選択される、請求項25に記載の製造品。
【請求項３３】
布地又は布材料であり、カチオンが、銀イオンであり、無機シェルが、抗菌及び抗真菌増殖特性を有する、請求項25に記載の製造品。
【請求項３４】
塗り広げることが可能な媒体を用いて分散された複数のカプセルを含む組成物であって、複数のカプセルは、
ポリマー壁内にカプセル化されたコア組成物を含む予備形成カプセルと;
界面活性剤により予備形成カプセルのポリマー壁の外部表面に連結された無機シェルであって、(i)界面活性剤に引きつけられたカチオン及びそのカチオンに化学結合したアニオン、酸化グラフェン、アミン、若しくはカルボキシレート、又は(ii)界面活性剤に引きつけられた金属含有化合物を含む、無機シェルと
を含み、
界面活性剤はイオン性界面活性剤を含む、組成物。
【請求項３５】
カチオンが、銀イオンであり、無機シェルが、抗菌及び抗真菌増殖特性を有する、請求項34に記載の組成物。
【請求項３６】
塗り広げることが可能な媒体が、塗料又はコーティングである、請求項34に記載の組成物。